【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力の第１レンズ群、負の屈折力の第２レンズ群、正の屈折力の第３レンズ群、１以上のレンズ群を含む後群より構成され、ズーミングに際して、前記第１レンズ群は像側へ凸状の軌跡を描いて移動し、広角端に比べて望遠端において、前記第１レンズ群と前記第２レンズ群との間隔が広くなり、前記第２レンズ群と前記第３レンズ群の間隔が狭くなるように、前記第２レンズ群と前記第３レンズ群が移動するズームレンズにおいて、
前記第３レンズ群は少なくとも１つの正レンズと少なくとも１つの負レンズを有し、前記第２レンズ群の広角端と望遠端における結像倍率を各々β２Ｗ、β２Ｔ、前記第３レンズ群の広角端と望遠端における結像倍率を各々β３Ｗ、β３Ｔ、前記第２レンズ群の焦点距離をｆ２、望遠端における全系の焦点距離をｆＴ、前記第３レンズ群に含まれる正レンズのうち少なくとも１つの正レンズの材料の屈折率とアッベ数を各々ｎｄ３ｉ、νｄ３ｉとするとき、
０．１０＜（β２Ｔ／β２Ｗ）／（β３Ｔ／β３Ｗ）＜１．６５
０．０１＜｜ｆ２｜／ｆＴ＜０．１５
１．５４＜ｎｄ３ｉ＜２．０
５５＜νｄ３ｉ＜１００
なる条件を満足することを特徴とするズームレンズ。
【請求項２】
前記第３レンズ群の広角端と望遠端における結像倍率β３Ｗ、β３Ｔは、
２．７＜β３Ｔ／β３Ｗ＜５．０
なる条件を満足することを特徴とする請求項１に記載のズームレンズ。
【請求項３】
広角端から望遠端へのズーミングにおける前記第３レンズ群の光軸上の移動量をｍ３、広角端における全系の焦点距離をｆＷとするとき、
０．５＜｜ｍ３｜／√（ｆＷ×ｆＴ）＜２．０
なる条件を満足することを特徴とする請求項１または２に記載のズームレンズ。
【請求項４】
前記第３レンズ群の焦点距離をｆ３、広角端における全系の焦点距離をｆＷとするとき、
０．５＜ｆ３／√（ｆＷ×ｆＴ）＜１．５
なる条件を満たすことを特徴とする請求項１乃至３のいずれか１項記載のズームレンズ。
【請求項５】
前記第３レンズ群に含まれる負レンズのうち、少なくとも１つの負レンズの焦点距離をｆ３ｎ、前記第３レンズ群の焦点距離をｆ３とするとき、
０．１＜｜ｆ３ｎ｜／ｆ３＜３．０
なる条件を満足することを特徴とする請求項１乃至４のいずれか１項に記載のズームレンズ。
【請求項６】
ズーミングに際して前記第３レンズ群と一体的に移動する開口絞りが前記第３レンズ群の物体側に配置されており、望遠端におけるレンズ全長をＴＤＴ、望遠端における前記開口絞りから像面までの空気換算距離をＤＳＰとするとき、
０．３＜ＤＳＰ／ＴＤＴ＜０．８
なる条件を満足することを特徴とする請求項１乃至５のいずれか１項に記載のズームレンズ。
【請求項７】
前記第１レンズ群の焦点距離をｆ１とするとき
０．２＜ｆ１／ｆＴ＜１．２
なる条件を満足することを特徴とする請求項１乃至６のいずれか１項に記載のズームレンズ。
【請求項８】
前記後群は正の屈折力の第４レンズ群から成り、前記第４レンズ群はズーミングに際して移動することを特徴とする請求項１乃至７のいずれか１項に記載のズームレンズ。
【請求項９】
前記後群は負の屈折力の第４レンズ群と正の屈折力の第５レンズ群からなり、前記第４レンズ群と前記第５レンズ群はズーミングに際して移動することを特徴とする請求項１乃至７のいずれか１項に記載のズームレンズ。
【請求項１０】
請求項１乃至９のいずれか１項に記載のズームレンズと該ズームレンズによって形成された像を受光する撮像素子を有することを特徴とする撮像装置。
【手続補正２】
【補正対象書類名】明細書
【補正対象項目名】００１２
【補正方法】変更
【補正の内容】
【００１２】
本発明のズームレンズは、物体側から像側へ順に、正の屈折力の第１レンズ群、負の屈折力の第２レンズ群、正の屈折力の第３レンズ群、１以上のレンズ群を含む後群より構成され、ズーミングに際して、前記第１レンズ群は像側へ凸状の軌跡を描いて移動し、広角端に比べて望遠端において、前記第１レンズ群と前記第２レンズ群との間隔が広くなり、前記第２レンズ群と前記第３レンズ群の間隔が狭くなるように、前記第２レンズ群と前記第３レンズ群が移動するズームレンズにおいて、
前記第３レンズ群は少なくとも１つの正レンズと少なくとも１つの負レンズを有し、前記第２レンズ群の広角端と望遠端における結像倍率を各々β２Ｗ、β２Ｔ、前記第３レンズ群の広角端と望遠端における結像倍率を各々β３Ｗ、β３Ｔ、前記第２レンズ群の焦点距離をｆ２、望遠端における全系の焦点距離をｆＴ、前記第３レンズ群に含まれる正レンズのうち少なくとも１つの正レンズの材料の屈折率とアッベ数を各々ｎｄ３ｉ、νｄ３ｉとするとき、
０．１０＜（β２Ｔ／β２Ｗ）／（β３Ｔ／β３Ｗ）＜１．６５
０．０１＜｜ｆ２｜／ｆＴ＜０．１５
１．５４＜ｎｄ３ｉ＜２．０
５５＜νｄ３ｉ＜１００
なる条件を満足することを特徴としている。
【手続補正３】
【補正対象書類名】明細書
【補正対象項目名】００２１
【補正方法】変更
【補正の内容】
【００２１】
ＳＰは開放Ｆナンバー（Ｆｎｏ）の光束を決定（制限）する開口絞りであり、第３レンズ群Ｂ３の物体側に配置されている。ＦＰは開口径が不変のフレアカット絞りであり、不要光をカットしている。Ｇは光学フィルター、フェースプレート、ローパスフィルター、赤外カットフィルターなどに相当する光学ブロックである。ＩＰは像面である。像面ＩＰは、ビデオカメラやデジタルカメラの撮影光学系としてズームレンズを使用する際には、ＣＣＤセンサやＣＭＯＳセンサなどの固体撮像素子（光電変換素子）の撮像面に相当する。銀塩フィルムカメラの撮影光学系としてズームレンズを使用する際には、フィルム面に相当する。矢印は広角端から望遠端へのズーミング（変倍）に際して、各レンズ群の移動軌跡を示している。
【手続補正４】
【補正対象書類名】明細書
【補正対象項目名】００３１
【補正方法】変更
【補正の内容】
【００３１】
各実施例において第３レンズ群Ｂ３は少なくとも１つの正レンズと少なくとも１つの負レンズを有している。第３レンズ群Ｂ３をこのように構成することで、第３レンズ群Ｂ３の変倍負担の増加に伴うズーミングの際の軸上色収差の変動を抑えている。
【手続補正５】
【補正対象書類名】明細書
【補正対象項目名】０１００
【補正方法】変更
【補正の内容】
【０１００】
なる式で表している。*は非球面形状を有する面を意味している。「ｅ−ｘ」は１０-xを意味している。ＢＦは空気換算のバックフォーカスである。また、前述の各条件式と数値実施例との関係を（表１）に示す。各数値実施例では広角端、第１中間ズーム位置、第２中間ズーム位置、望遠端における４つの焦点距離におけるＦナンバー、像高、レンズ全長、ＢＦ等における値を示している。尚、画角は光線追跡による撮影半画角（度）の値である。
［数値実施例１］
単位mm
面データ
面番号       r        d      nd         νd
1         44.910    1.10   1.80518    25.4           
2         26.922    3.02   1.49700    81.5           
3        213.269    0.20                             
4         29.723    2.42   1.69680    55.5           
5        142.326  (可変)                             
6        597.524    0.80   1.88300    40.8           
7          6.989    2.95                             
8        -19.693    0.65   1.71300    53.9           
9         27.817    1.10                             
10         17.283    1.26   1.94595    18.0           
11        100.561  (可変)                             
12(絞り)    ∞       1.97                             
13*         5.868    2.60   1.55332    71.7           
14*       -22.271    1.98                             
15        112.968    0.70   1.90366    31.3           
16          4.627    0.23                             
17          5.315    2.20   1.58144    40.8           
18       -599.875    0.60                             
19          ∞     (可変)                             
20         19.791    2.12   1.80400    46.6           
21        -29.812    0.70   1.84666    23.9           
22        113.196  (可変)                             
23          ∞       0.80   1.49831    65.1           
24          ∞       1.00                             
像面        ∞   
非球面データ
第13面
K =-2.94966e-002  A 4=-2.56243e-004  A 6=-3.86058e-006  A 8= 5.95265e-007  A10=
-2.52991e-008  
第14面
K =-2.14324e+001  A 4= 1.47358e-004  A 6= 1.04081e-005  
各種データ
ズーム比     13.56 
焦点距離       5.09     7.36    42.51    69.01  
Fナンバー      3.40     3.71     5.01     6.21  
画角          35.02    27.85     5.50     3.25  
像高           3.55     3.88     3.88     3.88  
レンズ全長    59.51    58.11    75.78    83.01  
BF             6.18     8.56    14.15     4.56  
d 5            0.85     3.93    24.38    27.26  
d11           20.70    14.18     2.02     2.00  
d19            5.17     4.83     8.62    22.57  
d22            4.64     7.02    12.62     3.03  
d24            1.00     1.00     1.00     1.00  
ズームレンズ群データ
群  始面    焦点距離  
1    1      44.24  
2    6      -7.34  
3   12      14.01  
4   20      31.01  
5   23       ∞    
［数値実施例２］
単位mm
面データ
面番号       r        d      nd         νd
1         43.334    1.10   1.84666    23.9           
2         27.386    2.82   1.49700    81.5           
3        184.015    0.20                             
4         28.593    2.25   1.69680    55.5           
5        129.921  (可変)                             
6        596.413    0.80   1.83481    42.7           
7          6.794    3.15                             
8        -19.052    0.65   1.69680    55.5           
9         27.361    0.92                             
10         16.564    1.26   1.94595    18.0           
11         78.364  (可変)                             
12(絞り)    ∞       1.10                             
13*         6.249    2.60   1.55332    71.7           
14*       -20.019    1.32                             
15         22.644    0.70   1.80610    33.3           
16          5.457    0.41                             
17          8.162    2.20   1.48749    70.2           
18         35.340    0.60                             
19          ∞     (可変)                             
20         18.057    2.35   1.65844    50.9           
21        -23.293    0.80   1.84666    23.9           
22       -241.242  (可変)                             
23          ∞       0.80   1.51633    64.1           
24          ∞       1.00                             
像面        ∞   
非球面データ
第13面
K =-2.10117e-002  A 4=-3.88986e-004  A 6=-6.43941e-006  A 8= 4.92457e-007  A10=
-2.84254e-008  
第14面
K =-9.71597e+000  A 4= 6.29353e-005  A 6= 4.07868e-006  
各種データ
ズーム比     11.45 
焦点距離       5.13     7.36    38.43    58.77  
Fナンバー      3.50     3.78     5.10     5.73  
画角          34.98    27.99     6.40     3.90  
像高           3.55     3.88     3.88     3.88  
レンズ全長    58.20    56.74    72.70    80.10  
BF             6.52     8.81    15.56    10.65  
d 5            0.85     3.76    22.32    25.56  
d11           20.70    14.42     2.39     1.49  
d19            4.90     4.52     7.21    17.18  
d22            4.99     7.28    14.03     9.12  
ズームレンズ群データ
群  始面    焦点距離  
1    1      43.47  
2    6      -7.36  
3   12      13.93  
4   20      31.17  
5   23       ∞   
［数値実施例３］
単位mm
面データ
面番号       r        d      nd         νd
1         35.277    1.00   1.94595    18.0           
2         23.727    2.80   1.88300    40.8           
3        133.434  (可変)                             
4         62.920    0.60   1.85135    40.1           
5*         7.437    4.11                             
6        -21.883    0.60   1.51680    64.2           
7         13.179    0.30                             
8         11.709    1.93   1.94595    18.0           
9         26.079  (可変)                             
10(絞り)    ∞       0.50                             
11*         9.984    2.10   1.59201    67.0           
12         11.375    0.80   1.94595    18.0           
13          7.727    3.57   1.65844    50.9           
14*       -19.364  (可変)                             
15          9.476    1.40   1.92286    20.9           
16          6.882  (可変)                             
17         11.108    2.56   1.48749    70.4           
18       -589.321  (可変)                             
19          ∞       0.80   1.51680    64.2           
20          ∞       1.00                             
像面        ∞   
非球面データ
第5面
K = 1.29368e-001  A 4=-1.88809e-005  A 6= 4.74092e-007  
第11面
K =-2.12053e-001  A 4=-1.33629e-004  A 6= 2.87874e-007  A 8=-1.88648e-008  
第14面
K =-1.10715e+000  A 4= 4.87229e-005  
各種データ
ズーム比     13.61 
焦点距離       4.13     5.68    19.67    56.21  
Fナンバー      2.88     3.01     4.13     6.00  
画角          36.24    32.00    10.38     3.56  
像高           3.10     3.60     3.60     3.60  
レンズ全長    61.21    54.10    65.20    87.96  
BF             3.91     6.18    13.63     3.79  
d 3            0.71     1.37    15.59    30.92  
d 9           25.85    16.58     3.07     2.74  
d14            2.86     3.24     4.84     6.03  
d16            5.61     4.46     5.79    22.20  
d18            2.38     4.66    12.10     2.27  
ズームレンズ群データ
群  始面    焦点距離  
1    1      55.84  
2    4      -7.94  
3   10      12.33  
4   15     -36.76  
5   17      22.40  
6   19       ∞